(57)【要約】【課題】本発明は、撮像装置及び撮像結果の管理方法に関し、例えばカメラ付き携帯電話に適用して、撮像結果を転送してサーバーに記録するようにして、撮像結果を簡易に管理することができるようにする。【解決手段】本発明は、サーバーを撮像結果の記録媒体として使用するようにし、少なくともこのサーバーに記録したファイルのファイル名を記録した領域管理用リストを保持し、この領域管理用リストに基づいて、撮像結果の処理に係るユーザーインターフェースを提供する。【選択図】        図１
2004350073.tif 000002
【特許請求の範囲】
【請求項１】
撮像結果を出力する撮像手段と、
前記撮像結果をサーバーに設けられたユーザー用領域にアップロードする通信手段と、
少なくとも前記ユーザー用領域に記録したファイルのファイル名を記録した領域管理用リストを保持する記録手段とを備え、
前記サーバーの前記ユーザー用領域におけるファイルの記録、削除に連動して前記領域管理用リストを更新し、
前記領域管理用リストに基づいて、前記撮像結果の処理に係るユーザーインターフェースを提供する
ことを特徴とする撮像装置。
【請求項２】
前記撮像結果の処理が、
前記通信手段による前記撮像結果のアップロードであり、
前記ユーザーインターフェースが、
前記撮像結果を前記サーバーへアップロードする際に、前記領域管理用リストに基づいて前記ユーザー用領域の空き容量を判定し、前記空き容量が不足する場合に、ユーザーによる指示を受け付けるユーザーインターフェースである
ことを特徴とする請求項１に記載の撮像装置。
【請求項３】
前記撮像結果の処理が、
前記通信手段を介して前記サーバーより撮像結果を取得して表示する処理であり、
前記ユーザーインターフェースが、
前記領域管理用リストに基づいて、前記ユーザー用領域に記録されたファイルの一覧を表示し、ユーザーによる表示対象の選択を受け付けるユーザーインターフェースである
ことを特徴とする請求項１に記載の撮像装置。
【請求項４】
前記撮像結果の処理が、
前記通信手段を介した指示による、前記サーバーの前記ユーザー用領域に記録した撮像結果の削除であり、
前記ユーザーインターフェースが、
前記領域管理用リストに基づいて、前記ユーザー用領域に記録されたファイルの一覧を表示し、ユーザーによる削除対象の選択を受け付けるユーザーインターフェースである
ことを特徴とする請求項１に記載の撮像装置。
【請求項５】
撮像手段を介して得られる撮像結果をアップロードして所定のユーザー用領域に記録する撮像結果の管理方法において、
少なくとも前記ユーザー用領域に記録したファイルのファイル名を記録した領域管理用リストを保持し、
前記ユーザー用領域におけるファイルの記録、削除に連動して前記領域管理用リストを更新し、
前記領域管理用リストに基づいて、前記撮像結果の処理に係るユーザーインターフェースを提供する
ことを特徴とする撮像結果の管理方法。
【発明の詳細な説明】
【０００１】
【発明の属する技術分野】
本発明は、撮像装置及び撮像結果の管理方法に関し、例えばカメラ付き携帯電話に適用することができる。本発明は、サーバーを撮像結果の記録媒体として使用するようにし、少なくともこのサーバーに記録したファイルのファイル名を記録した領域管理用リストを保持し、この領域管理用リストに基づいて、撮像結果の処理に係るユーザーインターフェースを提供することにより、撮像結果を転送してサーバーに記録するようにして、撮像結果を簡易に管理することができるようにする。
【０００２】
【従来の技術】
従来、カメラ付き携帯電話においては、フラッシュロム等による内蔵の大容量のメモリに、又は着脱可能に保持したメモリカードに、動画、静止画による撮像結果を記録して保持できるようになされ、またこれら撮像結果を電子メールに添付して送信することができるようになされている。
【０００３】
このような撮像装置に関して、例えば特開平１０−３３６２３８号公報においては、撮像結果をサーバーに転送することにより、このサーバーを撮像結果の記録媒体として使用する方法が提案されるようになされている。
【０００４】
【特許文献１】
特開平１０−３３６２３８号公報
【０００５】
【発明が解決しようとする課題】
ところで特開平１０−３３６２３８号公報に提案されているように、撮像結果を転送して撮像結果の記録媒体としてサーバーを使用すれば、装置側で撮像結果を記録して保存する必要が無いことにより、その分、装置側の構成を簡略化することができる。特に、今後、画素数の増大等によるサービスの向上により、撮像結果のデータ量が増大して撮像結果の記録に要する容量も増大すると考えられることにより、このように撮像結果を転送して撮像結果の記録媒体としてサーバーを使用すれば、装置の構成を格段的に簡略化することができると考えられる。
【０００６】
しかしながら撮像結果を装置側で記録して保持する場合にあっては、記録した撮像結果を容易に管理できるのに対し、サーバーに記録して保持する場合、このような管理が煩雑になる恐れがある。
【０００７】
本発明は以上の点を考慮してなされたもので、撮像結果を転送してサーバーに記録するようにして、撮像結果を簡易に管理することができる撮像装置及び撮像結果の管理方法を提案しようとするものである。
【０００８】
【課題を解決するための手段】
かかる課題を解決するため請求項１の発明においては、撮像装置に適用して、撮像結果を出力する撮像手段と、撮像結果をサーバーに設けられたユーザー用領域にアップロードする通信手段と、少なくともユーザー用領域に記録したファイルのファイル名を記録した領域管理用リストを保持する記録手段とを備え、サーバーのユーザー用領域におけるファイルの記録、削除に連動して領域管理用リストを更新し、領域管理用リストに基づいて、撮像結果の処理に係るユーザーインターフェースを提供する。
【０００９】
また請求項５の発明においては、撮像手段を介して得られる撮像結果をアップロードして所定のユーザー用領域に記録する撮像結果の管理方法に適用して、少なくともユーザー用領域に記録したファイルのファイル名を記録した領域管理用リストを保持し、ユーザー用領域におけるファイルの記録、削除に連動して領域管理用リストを更新し、領域管理用リストに基づいて、撮像結果の処理に係るユーザーインターフェースを提供する。
【００１０】
請求項１の構成によれば、撮像装置に適用して、撮像結果を出力する撮像手段と、撮像結果をサーバーに設けられたユーザー用領域にアップロードする通信手段と、少なくともユーザー用領域に記録したファイルのファイル名を記録した領域管理用リストを保持する記録手段とを備え、サーバーのユーザー用領域におけるファイルの記録、削除に連動して領域管理用リストを更新し、領域管理用リストに基づいて、撮像結果の処理に係るユーザーインターフェースを提供することにより、サーバーを撮像結果の記録媒体として使用するようにして、いちいちサーバーをアクセスして対応するファイル管理情報を取得しなくても、ユーザー用領域の内容を把握することができ、これにより撮像結果の記録だけでなく、ユーザー用領域へのアクセスについてもあたかもこのユーザー用領域による記録媒体を保持しているかような使い勝手を確保し得、これにより撮像結果を転送してサーバーに記録するようにして、撮像結果を簡易に管理することができる。
【００１１】
これにより請求項５の構成によれば、撮像結果を転送してサーバーに記録するようにして、撮像結果を簡易に管理することができる撮像結果の管理方法を提供することができる。
【００１２】
【発明の実施の形態】
以下、適宜図面を参照しながら本発明の実施の形態を詳述する。
【００１３】
（１）実施の形態の構成
図２は、本発明の実施の形態に係る画像管理システムを示すブロック図である。この画像管理システム１は、携帯電話２の撮像結果をサーバー３で保存する。
【００１４】
ここでサーバー３は、インターネット４に接続可能なインターフェース（Ｉ／Ｆ）５を有するコンピュータであり、リードオンリメモリ（ＲＯＭ）７の記録に従ってランダムアクセスメモリ（ＲＡＭ）６にワークエリアを確保してハードディスク装置８に記録された処理プログラムを中央処理ユニット（ＣＰＵ）９で実行することにより、各ユーザーの利用可能なユーザー用領域ＡＲＡ、ＡＲＢ、ＡＲＣ、……をハードディスク装置８に確保する。さらに図３（Ａ）に示すように、ユーザーの携帯電話２からアップロードされる撮像結果を、このユーザーに確保されたユーザー用領域ＡＲＡに記録して保持する。またこのようにして記録した撮像結果を、携帯電話２からのアクセスにより携帯電話２に提供する。また携帯電話２からの指示により保持したファイルを削除し、さらにはディレクトリー、ディレクトリー名の設定等を受け付ける。なお図３（Ａ）に示す例は、携帯電話２を保持するユーザーＡに係るユーザー用領域ＡＲＡに、ユーザーにより３つのディレクトリーが設定され、各ディレクトリーにディレクトリー名が設定され、各ディレクトリーにそれぞれ静止画による撮像結果が記録されている場合である。
【００１５】
これら携帯電話２によるアクセスおいて、サーバー３は、ユーザー認証により、利用可能に設定されたユーザー以外については、対応するユーザー用領域ＡＲＡ、ＡＲＢ、ＡＲＣ、……に対するファイルの記録、閲覧、削除等のアクセス要求を拒否し、これによりあたかも対応する容量のメモリが携帯電話２に設けられているかのように各ユーザー用領域ＡＲＡ、ＡＲＢ、ＡＲＣ、……を管理してセキュリティーを確保するようになされている。なおこのような携帯電話２からのアクセスに対するユーザー認証にあっては、携帯電話２の電話番号、携帯電話２に固有の識別コードである機器コード、ユーザーに固有の識別コードであるユーザーＩＤ、ユーザーの設定したパスワード等を利用することができる。
【００１６】
またサーバー３は、専用のＵＲＬ（Ｕｎｉｆｏｒｍ  Ｒｅｓｏｕｒｃｅ  Ｌｏｃａｔｏｒ）を用いた対応するユーザーのコンピュータ１０等によるアクセスに対しても、このユーザーの保持する携帯電話２からのアクセスと同様に、ユーザー認証により、対応するユーザー用領域ＡＲＡ、ＡＲＢ、ＡＲＣ、……への画像ファイルのアップロード、画像ファイルのダウンロード、削除等を受け付ける。なおこのようなコンピュータ１０等によるアクセスに対するユーザー認証にあっては、携帯電話２に固有の識別コードである機器コード、ＭＡＣＩＤ、ユーザーに固有の識別コードであるユーザーＩＤ、ユーザーの設定したパスワード等を利用することができる。これによりこの画像管理システム１では、ホットスポット等を利用して外出先等からでも携帯電話２による撮像結果を閲覧できるようになされている。
【００１７】
サーバー３は、このような携帯電話２以外からのアクセスによるファイル名、ファイル等の変更により、対応するユーザー用領域ＡＲＡ、ＡＲＢ、ＡＲＣ、……の内容が変更されると、携帯電話２からのアクセスによりこの内容の変更を携帯電話２に通知する。これによりこの画像管理システム１では、あたかも対応する容量のメモリが携帯電話２に設けられているかのように各ユーザー用領域ＡＲＡ、ＡＲＢ、ＡＲＣ、……を管理して、携帯電話２以外の機器からも対応するユーザー用領域ＡＲＡ、ＡＲＢ、ＡＲＣ、……へのアクセスを受け付け、このアクセスによる対応するユーザー用領域ＡＲＡ、ＡＲＢ、ＡＲＣ、……の内容の変更を携帯電話２で把握できるようになされている。
【００１８】
サーバー３は、このような各ユーザー用領域ＡＲＡ、ＡＲＢ、ＡＲＣ、……のユーザーへの提供を有料により実行するようになされ、図示しない課金サーバーにより各ユーザー用領域ＡＲＡ、ＡＲＢ、ＡＲＣ、……の容量に応じた金額をユーザーより徴収するようになされている。
【００１９】
携帯電話２において、通話部１２は、中央処理ユニット（ＣＰＵ）１３の制御により、マイクでユーザーの音声を取得して中央処理ユニット１３に出力し、また中央処理ユニット１３から出力される音声データによりスピーカを駆動する。送受信回路１４は、中央処理ユニット１３の制御により、回線接続処理を実行した後、中央処理ユニット１３から出力される各種のデータを送出し、また通信対象から得られる各種のデータを中央処理ユニット１３に出力する。これによりこの携帯電話２では、中央処理ユニット１３を介して、通信対象より音声データを取得して通話部１２から出力し、またこれとは逆に通話部１２で取得した音声を通信対象に送出し、この通信対象との間で通話できるようになされている。またインターネット４に接続して、サーバー３との間で各種データを送受してユーザー認証できるようになされ、またこのサーバー３の対応するユーザー用領域ＡＲＡ、ＡＲＢ、ＡＲＣ、……にアクセスできるようになされている。
【００２０】
カメラ部１５は、中央処理ユニット１３の制御により動画、静止画の撮像結果をバスＢＵＳに出力する。表示部１６は、中央処理ユニット１３の制御により、このようにしてカメラ部１５で得られる撮像結果、サーバー３からダウンロードした画像ファイル、各種メニュー等を表示する。圧縮伸長回路１７は、サーバー３に送出する撮像結果をＭＰＥＧ（Ｍｏｖｉｎｇ  Ｐｉｃｔｕｒｅ  Ｅｘｐｅｒｔｓ  Ｇｒｏｕｐ）４のフォーマットによりデータ圧縮して出力し、またこれとは逆にサーバー３からダウンロードした画像ファイルをデータ伸長して出力する。
【００２１】
不揮発性メモリ２０は、中央処理ユニット１３の処理に必要な各種設定等を記録して保持する。この実施の形態においては、この不揮発性メモリ２０に記録して保持するデータの１つに、サーバー３の対応するユーザー用領域ＡＲＡに係るファイル管理情報の一部情報が領域管理用リストにより保持される。ここで携帯電話２では、この一部情報がユーザーによるユーザー用領域ＡＲＡの管理に必要な情報により構成される。具体的には、図３（Ｂ）に示すように、領域ＡＲＡの容量、領域ＡＲＡに設定されたディレクトリー名、各ディレクトリーに割り当てられたファイルのファイル名及びデータ量により構成される。この領域管理用リストは、撮像結果のサーバー３へのアップロード等による領域ＡＲＡの内容の変更に対応して、さらには他の機器１０による対応する領域ＡＲＡへのアクセスによる領域ＡＲＡの内容の変更に対応して、中央処理ユニット１３により更新されるようになされている。
【００２２】
この携帯電話２では、サーバー３において対応するユーザー用領域ＡＲＡに割り当てられたファイル管理情報に代えて、この領域管理用リストに基づいて、撮像結果の処理に係る一連のユーザーインターフェースを提供するようになされている。これによりこの携帯電話２においては、あたかも対応する容量のメモリが携帯電話２に設けられているかのようにサーバー３に領域ＡＲＡを確保して、携帯電話２側で撮像結果を容易に管理できるようになされている。
【００２３】
中央処理ユニット１３は、リードオンリメモリ（ＲＯＭ）２１の記録に従ってランダムアクセスメモリ（ＲＡＭ）２２にワークエリアを確保してリードオンリメモリ２１に記録された処理プログラムを実行することにより、ユーザーによる操作に応動して全体の動作を制御する。すなわち中央処理ユニット１３は、ユーザーにより電話に係る一連の操作が実行されると、この操作に応動した送受信回路１４の制御により回線接続処理を実行した後、音声データを送受するように全体の動作を制御する。
【００２４】
これに対してユーザーによるメニューの選択により全体の動作モードを切り換え、カメラ部１５で動画の撮像結果を取得して表示部１６で表示する。さらにこの状態でユーザーにより所定の操作子が操作されると、カメラ部１５の動作モードを切り換えて静止画による撮像結果を取得し、この撮像結果をランダムアクセスメモリ２２に一時記録する。
【００２５】
この状態で中央処理ユニット１３は、図１に示す処理手順の実行によりユーザーによる操作に応動して撮像結果をサーバー３にアップロードする。すなわち中央処理ユニット１３は、静止画による撮像結果をランダムアクセスメモリ２２に一時記録すると、ステップＳＰ１からステップＳＰ２に移り、ここで表示部１６に撮像結果を表示する。またこの撮像結果の表示上に、撮像結果を保存するか否かの選択を促すメッセージを表示する。
【００２６】
続いて中央処理ユニット１３は、ステップＳＰ３に移り、ユーザーにより撮像結果の保存が指示されたか否か判断する。ここで否定結果が得られると、中央処理ユニット１３は、ステップＳＰ３からステップＳＰ４に移り、撮像結果を一時記録したランダムアクセスメモリ２２の領域を書き換え可能な領域に設定し、これにより撮像結果を削除する。さらに続くステップＳＰ５において、削除の完了をユーザーに通知し、ステップＳＰ６に移ってこの処理手順を終了する。
【００２７】
これに対してユーザーにより撮像結果の保存が指示されると、中央処理ユニット１３は、ステップＳＰ３からステップＳＰ７に移る。ここで中央処理ユニット１３は、送受信回路１４の制御によりサーバー３に接続し、これによりサーバー３へのアクセスを開始する。このとき中央処理ユニット１３は、コンピュータ１０等の他の機器に係るアクセスにより対応するユーザー用領域ＡＲＡの内容が変更されている場合には、サーバー３からの通知によりこの変更された内容の通知を受け、ユーザー用領域ＡＲＡの内容と一定するように、不揮発性メモリ２０に記録した領域管理用リストを更新する。
【００２８】
中央処理ユニット１３は、続くステップＳＰ８において、ランダムアクセスメモリ２２に記録した撮像結果のデータ量とユーザーにより事前に設定された圧縮伸長回路１７によるデータ圧縮率とにより、この撮像結果のサーバー３への記録に係るデータ量を計算する。さらに不揮発性メモリ２０に記録した領域管理用リストの内容と、このようにして計算したデータ量とにより、サーバー３に十分な空き容量が確保されているか否か判断する。
【００２９】
ここで肯定結果が得られると、中央処理ユニット１３は、ステップＳＰ８からステップＳＰ９に移り、ランダムアクセスメモリ２２に保持した撮像結果を圧縮伸長回路１７でデータ圧縮してサーバー３に送出する。またこのサーバー３へのアップロードによりサーバー３から撮像結果の記録完了が通知されると、この撮像結果の記録に対応するように不揮発性メモリ２０の記録を更新した後、ステップＳＰ６に移ってこの処理手順を終了する。これにより中央処理ユニット１３は、サーバー３を記録媒体として使用して撮像結果を順次記録し、この記録に対応するように領域管理用リストの内容を更新するようになされている。
【００３０】
またこのようにして更新した領域管理用リストに基づいてサーバー３に設けた領域ＡＲＡの空き容量を確認して、空き容量が不足する場合には、ステップＳＰ８で否定結果が得られることにより、中央処理ユニット１３は、ステップＳＰ８からステップＳＰ１０に移り、ファイルの削除処理を実行した後、ステップＳＰ２に戻る。
【００３１】
ここで図４は、このファイルの削除処理を示すフローチャートである。中央処理ユニット１３は、この処理手順において、ステップＳＰ１１からステップＳＰ１２に移り、不揮発性メモリ２０に記録した領域管理用リストに基づいて、ユーザー用領域ＡＲＡに記録されたファイルをツリー構造によるファイル一覧により表示部１６で表示する。
【００３２】
続いて中央処理ユニット１３は、ステップＳＰ１３において、このファイル一覧表示において削除対象の画像の選択を受け付け、続くステップＳＰ１４において、ユーザーが画像の確認を指示したか否か判断する。ここで肯定結果が得られると、中央処理ユニット１３は、ステップＳＰ１４からステップＳＰ１５に移り、サーバー３をアクセスしてユーザーにより選択されたファイルをダウンロードし、続くステップＳＰ１６において、このファイルの画像を表示部１６で表示した後、ステップＳＰ１７に移る。これに対してステップＳＰ１４で否定結果が得られると、直接ステップＳＰ１７に移る。
【００３３】
このステップＳＰ１７において、中央処理ユニット１３は、ユーザーにより削除の確認が得られたか否か判断し、ここで肯定結果が得られると、ステップＳＰ１７からステップＳＰ１８に移り、サーバー３にアクセスしてユーザーにより選択されたファイルの削除を指示し、続くステップＳＰ１９において、サーバー３から削除の完了通知を受け付ける。
【００３４】
続いて中央処理ユニット１３は、ステップＳＰ２０において、ユーザーの操作により続いてファイルを削除するか否か判断し、ここで肯定結果が得られると、ステップＳＰ１３に戻り、続く削除対象のファイルの選択を受け付ける。これに対してステップＳＰ２０で否定結果が得られると、ステップＳＰ２１に移り、不揮発性メモリ２０に記録した領域管理用リストの内容をファイルの削除に対応するように更新した後、ステップＳＰ２２から元の処理手順に戻る。
【００３５】
これに対してステップＳＰ１７で否定結果が得られると、中央処理ユニット１３は、ステップＳＰ１７からステップＳＰ２３に移り、ユーザーにより削除処理の終了が指示されたか否か判断し、ここで否定結果が得られると、ステップＳＰ１３に戻り、改めて削除対象の選択を受け付ける。これに対してステップＳＰ２３で肯定結果が得られると、ステップＳＰ２３からステップＳＰ２１に移り、サーバー３の内容と一致するように領域管理用リストの内容を更新して元の処理手順に戻る。
【００３６】
これにより中央処理ユニット１３は、サーバー３に設定された領域ＡＲＡの容量が撮像結果の保存に不足する場合には、保持した領域管理用リストに従って削除可能なファイルをユーザーに通知し、この通知によるユーザーの選択により、不必要なファイルを削除して空き容量を確保した後、撮像結果を記録するようになされている。これによりこの携帯電話２では、領域管理用リストに基づいた撮像結果の処理に係るユーザーインターフェースに関して、通信手段により撮像結果のアップロードする際に、領域管理用リストに基づいてユーザー用領域ＡＲＡの空き容量を判定し、空き容量が不足する場合に、ユーザーによる指示を受け付けるようになされている。
【００３７】
これに対してユーザーによりファイルの削除が指示された場合、図５に示す処理手順の実行によりユーザーによるファイルの削除を受け付ける。すなわち中央処理ユニット１３は、この処理手順を開始すると、ステップＳＰ３１からステップＳＰ３２に移り、送受信回路１４の制御によりサーバー３に接続し、他の機器によるユーザー用領域ＡＲＡの内容の変更通知を受け、これによりユーザー用領域ＡＲＡの内容と一定するように領域管理用リストを更新する。
【００３８】
続いて中央処理ユニット１３は、ステップＳＰ３３に移り、以下、ステップＳＰ３３〜ステップＳＰ４４の処理手順の実行により、ユーザーによる削除対象の選択を受け付け、この削除対象のファイルを削除するようにサーバー３に指示し、またこの削除に対応するように領域管理用リストの内容を更新する。しかしてこのステップＳＰ３３〜ステップＳＰ４４の処理手順においては、図４について上述したステップＳＰ１２〜ステップＳＰ２３と同一の処理手順である。これによりこの携帯電話２では、領域管理用リストに基づいた撮像結果の処理に係るユーザーインターフェースに関して、通信手段を介した指示によるユーザー用領域に記録した撮像結果の削除については、領域管理用リストに基づいて、ユーザー用領域に記録されたファイルの一覧を表示し、ユーザーによる削除対象の選択を受け付けるようになされている。
【００３９】
これに対してメニューの操作によりユーザーがサーバー３に記録した撮像結果の閲覧を指示した場合、中央処理ユニット１３は、図６に示す処理手順の実行によりユーザーの所望するファイルをダウンロードして表示する。すなわち中央処理ユニット１３は、この処理手順を開始すると、ステップＳＰ５１からステップＳＰ５２に移り、送受信回路１４の制御によりサーバー３に接続し、他の機器によるユーザー用領域ＡＲＡの内容の変更通知を受け、これによりユーザー用領域ＡＲＡの内容と一定するように領域管理用リストを更新する。
【００４０】
続いて中央処理ユニット１３は、ステップＳＰ５３において、この領域管理用リストに基づいてツリー構造によりファイル一覧を表示し、続くステップＳＰ５４において、この一覧表示において表示対象のファイルの選択を受け付ける。続いて中央処理ユニット１３は、ステップＳＰ５５において、サーバー３よりこのユーザーにより選択されたファイルを取得してランダムアクセスメモリ２２に一時記録し、続くステップＳＰ５６において、この取得したファイルを圧縮伸長回路１７によりデータ伸長して表示部１６で表示する。
【００４１】
中央処理ユニット１３は、このようにしてサーバー３よりファイルを取得して表示すると、ステップＳＰ５７において、ユーザーによりこのファイルのメール送信が指示されたか否か判断し、ここで否定結果が得られると、ステップＳＰ５８に移り、ユーザーにより別ファイルの表示が指示されたか否か判断する。ここでユーザーにより別ファイルの表示が指示された場合、中央処理ユニット１３は、ステップＳＰ５４に戻り、この別ファイルの選択を改めて受け付ける。これに対してステップＳＰ５８で否定結果が得られると、ステップＳＰ５９に移り、ランダムアクセスメモリ２２に保持したファイルの領域を書き換え可能領域に設定し、また回線を遮断し、これにより終了に係る一連の処理を実行した後、ステップＳＰ６０に移ってこの処理手順を終了する。
【００４２】
これによりこの携帯電話２では、領域管理用リストに基づいた撮像結果の処理に係るユーザーインターフェースに関して、通信手段を介してサーバーより保存した撮像結果を取得して表示する処理において、領域管理用リストに基づいて、ユーザー用領域に記録されたファイルの一覧を表示し、ユーザーによる表示対象の選択を受け付けるようになされている。
【００４３】
これに対してユーザーによりファイルのメール送信が指示されると、中央処理ユニット１３は、ステップＳＰ５７からステップＳＰ６１に移り、このファイルを添付した電子メールを作成し、続くステップＳＰ６２においてこの電子メールを送受信回路１４より送出する。また続くステップＳＰ６３において、電子メールの送信に係る処理を終了した後、ステップＳＰ５８に戻る。
【００４４】
（２）実施の形態の動作
以上の構成において、この画像管理システム１において、携帯電話２は、ユーザーの操作によりカメラ部１５で撮像結果を取得すると、ユーザーの確認により、この撮像結果をサーバー３にアップロードし、このサーバー３においてこの携帯電話２用に確保されたユーザー用領域ＡＲＡに記録する。またこのようにして記録した撮像結果をユーザーの操作により削除し、さらにダウンロードして表示する。これにより携帯電話２では、あたかもこのユーザー用領域ＡＲＡによる容量の記録媒体を保持しているかのようにして撮像結果を記録して処理することができ、その分、全体構成を簡略化することができるようになされている。
【００４５】
またサーバー３においては、このような携帯電話２によるアクセスだけでなく、この携帯電話２のユーザーに係るコンピュータ１０等の他の機器によるアクセスに対して、対応するユーザー用領域ＡＲＡの閲覧等が許可され、これにより例えばホットスポット等を利用して外出先等からでも携帯電話２による撮像結果をＰＤＡ等により閲覧できるようになされている。
【００４６】
このようにして携帯電話２により撮像結果をサーバー３に記録して処理するにつき、携帯電話２では、ユーザー用領域ＡＲＡに記録したファイル名等を記録した領域管理用リストを記録して保持し、携帯電話２による撮像結果の記録、削除に対応してこの領域管理用リストの内容が更新される。また他の機器によるアクセスによりユーザー用領域ＡＲＡの内容変更が、携帯電話２によるアクセス時、サーバー３より通知され、この通知により領域管理用リストの内容が更新される。これにより携帯電話２では、サーバー３のユーザー用領域ＡＲＡにおけるファイルの記録、削除に連動して領域管理用リストが更新され、この領域管理用リストに基づいて撮像結果の処理に係るユーザーインターフェースが提供される。
【００４７】
すなわち撮像結果をサーバー３に記録する場合には、この領域管理用リストによりユーザー用領域ＡＲＡの空き領域が検出され、空き領域が不足する場合には、この領域管理用リストによりユーザー用領域ＡＲＡに記録されたファイルの一覧が表示され、空き領域の確保のためのファイルの削除が受け付けられる。またユーザーが別途ファイルを削除する場合には、領域管理用リストによりユーザー用領域ＡＲＡに記録されたファイルの一覧が表示され、削除対象のファイルの選択が受け付けられる。またユーザーが記録した撮像結果を閲覧する場合には、同様に領域管理用リストによりユーザー用領域ＡＲＡに記録されたファイルの一覧が表示され、表示対象の選択が受け付けられる。
【００４８】
これによりこの携帯電話２では、撮像結果の記録媒体としてサーバーを使用するようにして、いちいちサーバーをアクセスして対応するディレクトリーの情報を取得しなくても、ユーザー用領域ＡＲＡの内容を把握することができ、これによりユーザー用領域ＡＲＡへのアクセスについても、あたかもこのユーザー用領域による記録媒体を保持しているかような使い勝手を確保することができ、これにより撮像結果を転送してサーバーに記録するようにして、撮像結果を簡易に管理することができるようになされている。
【００４９】
（３）実施の形態の効果
以上の構成によれば、サーバーを撮像結果の記録媒体として使用するようにし、少なくともこのサーバーに記録したファイルのファイル名を記録した領域管理用リストを保持し、この領域管理用リストに基づいて、撮像結果の処理に係るユーザーインターフェースを提供することにより、撮像結果を転送してサーバーに記録するようにして、撮像結果を簡易に管理することができる。
【００５０】
（４）他の実施の形態
なお上述の実施の形態においては、携帯電話によるアクセス時、ユーザー用領域の変更を通知する場合について述べたが、本発明はこれに限らず、ユーザー用領域の変更時、サーバー側からの携帯電話への接続により内容の変更を通知するようにしてもよい。このようにすれば上述した各処理手順において、始めにサーバーに接続してユーザー用領域の変更を確認する処理を省略することができ、携帯電話によるサーバーの接続頻度を一段と少なくすることができる。
【００５１】
また上述の実施の形態においては、領域管理用リストにファイル名等を保持する場合について述べたが、本発明はこれに限らず、例えば併せてインデックス用のサムネイル画像を保持するようにしてもよい。
【００５２】
また上述の実施の形態においては、ユーザーによる指示により記録したファイルを削除する場合について述べたが、本発明はこれに限らず、このようなユーザーによる指示の受け付けとは別に、記録後の一定期間の経過によりサーバーから削除する場合等にも広く適用することができる。なおこのようにサーバー側の判断によりファイルを削除する場合には、メールによりユーザーの確認を得ることが考えられる。
【００５３】
また上述の実施の形態においては、静止画による撮像結果を処理する場合について述べたが、本発明はこれに限らず、動画による撮像結果を処理する場合にも広く適用することができる。
【００５４】
また上述の実施の形態においては、本発明を携帯電話に適用する場合について述べたが、本発明はこれに限らず、電子スチルカメラ、カメラ付きＰＤＡ、カメラ付きノートパソコン等に広く適用することができる。
【００５５】
【発明の効果】
上述のように本発明によれば、サーバーを撮像結果の記録媒体として使用するようにし、少なくともこのサーバーに記録したファイルのファイル名を記録した領域管理用リストを保持し、この領域管理用リストに基づいて、撮像結果の処理に係るユーザーインターフェースを提供することにより、撮像結果を転送してサーバーに記録するようにして、撮像結果を簡易に管理することができる。
【図面の簡単な説明】
【図１】本発明の実施の形態に係る画像管理システムにおける携帯電話の処理手順を示すフローチャートである。
【図２】本発明の実施の形態に係る画像管理システムを示すブロック図である。
【図３】図２の携帯電話における領域管理用リストの説明に供する図表である。
【図４】図１の処理手順における削除処理を示すフローチャートである。
【図５】図２の携帯電話におけるファイル削除に係る処理手順を示すフローチャートである。
【図６】図２の携帯電話におけるファイル閲覧に係る処理手順を示すフローチャートである。
【符号の説明】
１……画像管理システム、２……携帯電話、３……サーバー、１０……コンピュータ、１３……中央処理ユニット、１５……カメラ部
【図１】
2004350073.tif 000003
【図２】
2004350073.tif 000004
【図３】
2004350073.tif 000005
【図４】
2004350073.tif 000006
【図５】
2004350073.tif 000007
【図６】
2004350073.tif 000008